(57)【要約】【課題】簡単な構造で、照明領域に応じて局所的に明るさを自由にかつ容易に変更することができるメータ装置の照明構造を提供すること。【解決手段】光孔部１１Ａに同心状に取付可能な、略円筒形状の起立壁部１６３が内周孔１６２に形成された光量制御部材１６をさらに備え、一部の壁の高さが他部の壁の高さと異なる起立壁部１６３によって、光源１５からの漏れ光の明るさを調整可能に構成したことを特徴とする。【選択図】図２
2011007559.tif 000002
【特許請求の範囲】
【請求項１】
中央部近傍に開口された光孔部を有する表示板と、
前記表示板の表面側に配置された指針と、
前記表示板の背面側に配置された光源と、
前記表示板の外周に沿って突設され前記表示板の外周縁に向けて伝搬する前記光源からの漏れ光を反射させて前記表示板を漏れ照明するリング部材と、
を備えるメータ装置の照明構造であって、
前記光孔部に同心状に取付可能な、略円筒形状の起立壁部が内周孔に形成された光量制御部材をさらに備え、
一部の壁の高さが他部の壁の高さと異なる前記起立壁部によって、前記光源からの漏れ光の明るさを調整可能に構成したことを特徴とするメータ装置の照明構造。
【請求項２】
前記指針を回転させるモータの、前記指針基部に一体に取付けられた回転軸が、前記光孔部に挿通され、
前記光源は、前記光量制御部材の直下に設けられ、
前記光孔部を通過した光が、前記指針基部と前記光量制御部材の起立壁部との間から漏光することを特徴とする請求項１に記載のメータ装置の照明構造。
【請求項３】
前記指針を回転させるモータの、前記指針基部に一体に取付けられた回転軸が、前記表示板に形成した軸孔に挿通され、
前記光源は、前記軸孔近傍の前記光孔部に設けた前記光量制御部材の直下に設けられ、
前記光孔部を通過した光が、前記指針基部と前記光量制御部材の起立壁部との間から漏光することを特徴とする請求項１に記載のメータ装置の照明構造。
【請求項４】
前記光量制御部材は、車体側に固定されるベースプレートに係止する脚部を有することを特徴とする請求項１から３のいずれか１項に記載のメータ装置の照明構造。
【請求項５】
前記光量制御部材は、前記リング状部材の各部位での光吸収特性に応じた前記起立壁部の高さを有することを特徴とする請求項１から４のいずれか１項に記載のメータ装置の照明構造。
【発明の詳細な説明】
【技術分野】
【０００１】
本発明は、車両等に搭載されるメータ装置に係り、特に、文字板に照射される光の明るさを部分的に変化させることができるメータ装置の照明構造に関するものである。
【背景技術】
【０００２】
車両等に搭載されるこの種のメータ装置においては、一般に、指針、文字、数字、及び目盛り等が設けられた文字板を背面側から専用の光源などで照明している。また、近年、高級感、高品位感を付与する等の目的で、文字板を周回するように導光性を有するリング部材を設置して、同様に背面側から専用の光源で照明するようにしたメータ装置も知られている。
【０００３】
即ち、図８に示すように、このメータ装置１００は、ベースプレート１０１と、文字板１０２と、リング透光部材１０３と、光源１０４及び１０５と、メータカバー１１０と、を備えている。
【０００４】
ベースプレート１０１は、文字板１０２や指針１０６を回動させるモータ１０７を、メータ装置１００内の所定位置に固定している。
【０００５】
文字板１０２は、例えば、透明生地の薄い円板状のシート板に、所定の数字、文字等の表示を中抜きにして、黒色印刷した円板状のシート板である。また、文字板１０２には、指針１０６の後述する指針軸部１０６Ａが挿通されると共に指針用の光源１０４からの光が指針軸部１０６Ａの周囲に入射するように、指針軸部１０６Ａの外径よりもやや大きい内径を有する開口部１０２Ａが形成されている。さらに、文字板１０２には、光源１０５からの光が入射するように窓部１０２Ｂも形成されている。
【０００６】
リング透光部材１０３は、数字、文字等の表示を取り巻くように周設された導光性枠体であり、下面から受光し、光源色又はリング透光部材１０３の色調に依存したリング状に光輝する。このリング透光部材１０３は、見返し板１０８に熱溶着等により固定されている。
【０００７】
光源１０４及び１０５は、文字板１０２の背面から所定距離だけ離間してベースプレート１０１に固定されている。光源１０４からの光は上方に向かい、文字板１０２の開口部１０２Ａを通過して、指針１０６を光輝させるために指針軸部１０６Ａの周辺部に供給される。また、光源１０５は、リング透光部材１０３を光輝させるために、光源１０４とは独立して設けられている。
【０００８】
ところで、上述のような従来のメータ装置のなかには、メータの構造を簡素化しつつ、より一層の高級感を持たせるようにしたメータ装置が提案されている（例えば、特許文献１参照）。
【０００９】
図９に示すように、このメータ装置２００は、文字や数字などの表示情報が形成された文字板２０１と、文字板２０１の背面側に配置された光源２０２と、導光性を有し指針軸部２０３Ａを中心にして文字板２０１の前面側を回動するように配置された指針２０３と、指針軸部２０３Ａが挿通されると共に光源２０２からの光が指針２０３の基端部に入射するように、文字板２０１の中央部に指針軸部２０３Ａの外径よりもやや大きい内径を有して形成された開口部２０１Ａと、の他に、文字や数字などの表示部分を周回するように文字板２０１の前面側に設置された枠体であって、外側に向かうにしたがって曲線的に徐々に開口する断面凸状で光沢性のある内周面を有するリング部材２０４を具備している。なお、図中符号２０５はベースプレート、２０６は見返し板、２０７はモータ、２０７Ａはモータ２０７の回転軸、２１０はカバーガラスを示す。
【００１０】
このメータ装置２００によれば、文字板２０１の背面側に配置された光源２０２からの光は、図９に示すように、指針軸部２０３Ａの周辺部に入射して指針２０３の先端部に向かって進行するとともに、文字板２０１の開口部２０１Ａから漏れて、リング部材２０４の内周面２０４Ａに向けて進行する。そして、その漏れ光（ハレーション光）は内周面２０４Ａで反射して文字板２０１の前方（同図では上方の視認者の目）に向かう。すなわち、漏れ光を利用してリング状の反射照明を行っている。
【先行技術文献】
【特許文献】
【００１１】
【特許文献１】特開２００３−２２２５３９号公報
【発明の概要】
【発明が解決しようとする課題】
【００１２】
しかしながら、このようなメータ装置２００にあっては、前述の指針２０３の基端部及びこれに設けた指針軸部２０３Ａと、文字板２０１の孔２０１Ａとの間の隙間を透過してくる漏れ光（ハレーション光）が、文字板２０１の全面に対して必ずしも均一な明るさで照明されるわけではない。
【００１３】
そこで、例えば、図１０に示すように、文字板２０１の開口部２０１Ａに、全周に亘って対称的な形状、つまり中央部の壁２２０Ａの高さを全周にわたって一定に形成してある補助部材２２０を、補助的に取付けたものも提案されている。
【００１４】
ところで、光源２０２から出射する照明光の光強度は一定である。ところが、リング部材２０４については、色、表面加工、材質などが全周に亘って均一なものでないと、例えば図１１に示すように、リング部材２０４の一部に反射率の低い部分２０４Ａや反射率の高い部分２０４Ｂが混在していると、均一な明るさでの照明が得られない。
【００１５】
本発明は、上述した事情に鑑みてなされたものであり、その目的は、簡単な構造で、照明領域に応じて局所的に明るさを自由にかつ容易に変更することができるメータ装置の照明構造を提供することにある。
【課題を解決するための手段】
【００１６】
前述した目的を達成するために、本発明に係るメータ装置の照明構造は、下記（１）から（５）を特徴としている。
（１）  中央部近傍に開口された光孔部を有する表示板と、
前記表示板の表面側に配置された指針と、
前記表示板の背面側に配置された光源と、
前記表示板の外周に沿って突設され前記表示板の外周縁に向けて伝搬する前記光源からの漏れ光を反射させて前記表示板を漏れ照明するリング部材と、
を備えるメータ装置の照明構造であって、
前記光孔部に同心状に取付可能な、略円筒形状の起立壁部が内周孔に形成された光量制御部材をさらに備え、
一部の壁の高さが他部の壁の高さと異なる前記起立壁部によって、前記光源からの漏れ光の明るさを調整可能に構成したこと。
（２）（１）に記載のメータ装置の照明構造において、
前記指針を回転させるモータの、前記指針基部に一体に取付けられた回転軸が、前記光孔部に挿通され、
前記光源は、前記光量制御部材の直下に設けられ、
前記光孔部を通過した光が、前記指針基部と前記光量制御部材の起立壁部との間から漏光すること。
（３）（１）に記載のメータ装置の照明構造において、
前記指針を回転させるモータの、前記指針基部に一体に取付けられた回転軸が、前記表示板に形成した軸孔に挿通され、
前記光源は、前記軸孔近傍の前記光孔部に設けた前記光量制御部材の直下に設けられ、
前記光孔部を通過した光が、前記指針基部と前記光量制御部材の起立壁部との間から漏光すること。
（４）（１）から（３）のいずれかに記載のメータ装置の照明構造において、
前記光量制御部材は、車体側に固定されるベースプレートに係止する脚部を有すること。
（５）（１）から（３）のいずれかに記載のメータ装置の照明構造において、
前記光量制御部材は、前記リング状部材の各部位での光吸収特性に応じた前記起立壁部の高さを有すること。
【００１７】
上記（１）に記載のメータ装置の照明構造によれば、表示板の円周角度の方向に対応して光量制御部材の起立壁部の高さを変更させた、簡単な構造によって、例えば計器板などのメータにおける照明光の明るさの均一化を図ることができる。換言すれば、所定の照明領域における所望の角度の方向での明るさを、簡単な構造のもので、自由に変更できる。
上記（２）に記載のメータ装置の照明構造によれば、モータの回転軸が光量制御部材の光孔部に挿通されており、回転軸専用の軸孔を表示板に態々設ける必要がない分、簡単な構造の照明構造が提供できる。
上記（３）に記載のメータ装置の照明構造によれば、モータの回転軸を挿通させる専用の軸孔を設けることで、回転軸に邪魔されることなく、光孔部の直下に光源を設置することができるので、光源が１個で済む分、コストの削減を図ることができる。
上記（４）に記載のメータ装置の照明構造によれば、表示板の中央部を光孔部に取付けた光量制御部材の脚部で安定的に支持でき、光量制御部材の起立壁部と指針やキャップの下面との間の隙間の幅を常時一定に維持できるので、漏れ照明の光量が変動するのを抑制できる。
上記（５）に記載のメータ装置の照明構造によれば、例えばリング状部材として、光反射率、光吸収率、光透過率または散乱率などによって特定される光吸収特性が部分的に異なるものを使用する場合であっても、その部分的な差異を相殺させるように、光量制御部材の起立壁部の高さを変化させることで、均一な漏れ照明を実現できる。これにより、同一のリング部材を使用しても、部分的に明るさが異なる漏れ照明、グラデーション照明、均一な漏れ照明など、ユーザの好みに対応した幅広い照明オプションが、簡単かつ低コストで設定できる。
【発明の効果】
【００１８】
本発明のメータ装置の照明構造によれば、例えばリング状部材の各角度方向での反射率が異なるものであっても、反射率の高低に対応して起立壁部の高さも各角度方向で変化させることで、リング状部材の全方向での反射後の漏れ光の光量均一化が図れるという利点がある。
【００１９】
以上、本発明について簡潔に説明した。更に、以下に説明される発明を実施するための形態を添付の図面を参照して通読することにより、本発明の詳細は更に明確化されるであろう。
【図面の簡単な説明】
【００２０】
【図１】本発明に係る照明構造が適用されたコンビネーションメータを示す平面図である。
【図２】本発明の第１の実施形態に係るメータ装置を示す、図１のＩＩ−ＩＩ線断面図である。
【図３】図２のメータ装置の照明構造に用いる光量制御部材を示す斜視図である。
【図４】図２のメータ装置の要部断面図である。
【図５】（Ａ）は本発明の第２の実施形態に係る照明構造が適用されたメータ装置を示す説明図、（Ｂ）はそのメータ装置の漏れ照明での角度に応じた明るさの変化を示すグラフ及び光量制御部材の高さを示すカム線図である。
【図６】（Ａ）は本発明の第３の実施形態に係る照明構造のリング部材における光吸収率の高い部分での漏れ照明光を示す説明図、（Ｂ）は同じく光吸収率の低い部分での漏れ照明光を示す説明図である。
【図７】（Ａ）は本発明の第４の実施形態に係る照明構造が適用されたメータ装置を示す平面図、（Ｂ）はそのメータ装置の要部を示す断面図である。
【図８】従来の照明構造を示す要部断面図である。
【図９】従来の他の照明構造を示す要部断面図である。
【図１０】（Ａ）は図９に示す照明構造の変形例を示す要部断面図、（Ｂ）はそれに追加して取付けた補助部材を示す斜視図である。
【図１１】図１０に示す照明構造での作用効果を示すものであって、（Ａ）はリング部材における光吸収性の低い部分での光の反射状態、（Ｂ）は同じく光吸収性の高い部分での光の反射状態を示す説明図である。
【発明を実施するための形態】
【００２１】
以下、本発明の実施形態について、添付図面を参照しながら詳細に説明する。
（第１の実施形態）
図１は、本発明の照明構造が適用されたコンビネーションメータ１を示すものである。
このコンビネーションメータ１は、燃料計部２、タコメータ部３、スピードメータ部４、及び水温計部５等の計器類で構成される。これらの計器類には、数字、文字、記号など、車自体或いは車周辺の環境などに関する必要情報を表示する表示板（以下、「文字板」とよぶ）を有する。このコンビネーションメータ１の表面側を形成する見返し板６は、上記計器類を設置するための各種表示窓６Ａを有しており、側面及び背面側を構成するメータケース７と一体化されている。更に、コンビネーションメータ１は、黒色系などの透明なカバーガラス８で覆われている。
【００２２】
各燃料計部２、タコメータ部３、スピードメータ部４、及び水温計部５等の計器類の文字板２１、３１、４１、及び５１は、各文字板に対応する文字板用光源から供給される光により背面から照明される。また、各文字板２１、３１、４１、及び５１に対応する各指針２２、３２、４２、及び５２も、各指針用光源から供給される光により光輝する。すなわち、コンビネーションメータ１は、指針、文字板の順に時差点灯させることができる。もちろん、指針及び文字板を同時に光輝、照明させることも可能である。これにより、点灯に応答して、コンビネーションメータ１の表面から鮮やかに各表示情報が浮かび上がるように視認される。
【００２３】
また、円形状のアナログタイプの上記燃料計部２、タコメータ部３、スピードメータ部４、及び水温計部５には、それぞれ各文字板の外縁部を周回するようにリング部材２３、３３、４３、及び５３を有する。各リング部材２３、３３、４３、及び５３は、指針照明時に、上記文字板の背面側に配置された指針用光源からの光の漏れを利用してリング状に照明される。
【００２４】
次に、各計器類のうち、スピードメータ部４を例に挙げてその構造を説明するが、この構成については、他のアナログタイプの計器類でも同様である。
図２は、本発明に係る照明構造を適用した第１の実施形態のメータ装置１０であるスピードメータ４Ａを示す断面図である。このメータ装置１０のスピードメータ４Ａは、表示板を構成する文字板１１（図１での文字板４３に同じ）と、文字板１１の外周縁部に嵌合されたリング部材１２（図１でのリング部材４１に同じ）と、文字板１１の表面側に配置された指針１３（図１での指針４２に同じ）と、指針１３に被せたキャップ１４と、文字板１１の背面側に配置された光源１５と、文字板１１の後述する光孔部１１Ａに取付けられた光量制御部材１６と、指針１３を回動させるモータ１７と、を備える。
【００２５】
文字板１１は、透明な（若しくは半透明な）適宜の材料で形成されているとともに、中央部に開口された光孔部１１Ａを有しており、外周縁部寄りの表面に車両の速度を示す数字が表示される。なお、後述するリング部材１２を固着させた文字板１１は、メータケース７（図１参照）の一部を構成するベースプレート７１に搭載された状態で、見返し板６の表示窓６Ａに嵌合される。
【００２６】
リング部材１２は、カバーガラス８のある前方（図２では上方）に向けて拡開した内周面１２１が、漏れ光を入射してリング状に照明される反射面を構成する。なお、ここで、漏れ光とは、光源１５から出射し、文字板１１の光孔部１１Ａを通過して、指針１３の基部１３２と光量制御部材１６との隙間から漏出する光（ハレーション光）のことである。
【００２７】
内周面１２１は、全周３６０度にわたって均一な反射膜を被着させることで均一な反射率を有する構成となっているが、後述する光量制御部材１６により漏れ光の光量（光照度）が全周方向の一部において変化するようになっており、内周面１２１での反射光量もその変化に応じて変更可能になる。
【００２８】
また、リング部材１２は、内周面１２１で反射後の漏れ光の一部を視認者の目の方向に向けて進行させるのと同時に、内周面１２１で反射後の漏れ光の一部を指針１３の方向に向けて文字板１１の表面方向に進行させて文字板１１の表面上で漏れ照明させる。
【００２９】
指針１３は、導光性（若しくは不透明）材料で形成されており、先端側に向けて先細り形状を有する本体部１３１と、下部にモータ１７の回転軸１７Ａを嵌着させる基部１３２と、を有する。
【００３０】
キャップ１４は、指針１３に被着されており、キャップ１４及び指針基部１３２の各下面と光量制御部材１６の起立壁部１６３との間に隙間ｄを形成することで、光源から出射し光孔部１１Ａを通り抜けた光が直接表示板１１の上方（カバーガラス８）に向けて進行するのを阻止する。つまり、光孔部１１Ａを通り抜けてきた光源１５からの光に対して、隙間ｄを通過させることによって光の進行する光路を略９０度程度偏向させ、同時に文字板１１の表面に沿って放射状に拡散された漏れ光として光加工させる。これにより、光源１５からの光が視認者の目に直接入射するのも回避させることができる。
【００３１】
光源１５は、所定波長の可視光を出射するものであって、光孔部１１Ａへ入射する光源１５からの光に方向依存性がない、全周に対して均一な光量が入射するようになっている。なお、本実施形態では、図４に示すように、光孔部１１Ａに同心状に設置した光量制御部材１６の後述する（内周孔を構成する）透孔部１６２が、モータ１７の回転軸１７Ａを挿通させる軸孔も兼用しており、光量制御部材１６の透孔部１６２の中央をモータ１７の回転軸１７Ａが通過している。つまり、透孔部１６２の中心にはモータの回転軸１７Ａが障害となって光源１５を設置できない。そこで、本実施形態では、均一な光量を光孔部１１Ａに入射させるため、回転軸１７Ａを避けてその近傍周辺に複数のＬＥＤが同心状に、かつ、等角的に配設されているわけである。
【００３２】
光量制御部材１６は、光源からの光を透過させない不透明な材料を用いて略円筒形状に形成されている。本実施形態の光量制御部材１６は、図３に示すように、略リング形状を有する本体部１６１と、本体部１６１の中央側において真円形状に開口された透孔部１６２と、透孔部１６２の壁面から上方に延出するように形成された略円筒形状の起立壁部１６３と、本体部１６１から下方に延びる脚部１６４と、を有する。
【００３３】
起立壁部１６３は、各位相方向での高さに応じて表示板１１の表面上の各放射方向の角度（以下、角度θ）での漏れ光の強さを適宜に調整可能にする。特に本発明では、起立壁部１６３の壁の高さが、３６０度全周に亘って同一高さではなく適宜形状で高さを変化させることによって、文字板１１の表面及びリング部材１２の内周面１２１における漏れ光による照明（漏れ照明）の明るさを、角度θの方向に応じて自由に変化可能としている。
【００３４】
本実施形態では、例えば文字板１１において時計での６時位置を原点（角度０度）Ｏとしたときに、数字０と数字１８０との間の数字が記載されない領域に対応した、起立壁部１６３での領域における、壁の高さを高く形成している。
【００３５】
つまり、図３において、光量制御部材１６の起立壁部１６３には、文字板１１での速度表示用の数字が記載されていない角度θの領域に対応する領域（以下、数字非記載領域とよぶ）１６３Ａである、角度θが−α（rad）から＋α（rad）までの領域の壁の高さを高く（ｈ１）形成している。一方、それ以外の角度に対応する領域（以下、数字記載領域とよぶ）１６３Ｂでは、起立壁部１６３の壁を、数字非記載領域１６３Ａでの壁よりも低い、一定高さ（ｈ２）に形成している。
【００３６】
これによって、図４において、数字非記載領域１６３Ａ、つまり壁の高さが高い（ｈ１）角度方向では、キャップ１４及び指針基部１３２の各下面と光量制御部材１６の起立壁部１６３との間で隙間が狭く（ｄ１）なり、その分、漏れ光の通過光量が抑えられて低照度（Ｌｘ）での漏れ照明が行われる。
【００３７】
一方、数字記載領域１６３Ｂ、つまり壁の高さが低い（ｈ２）角度方向の領域では、キャップ１４及び指針基部１３２の各下面と光量制御部材１６の起立壁部１６３との間で隙間が広く（ｄ２）なり、その分、漏れ光の通過光量が緩和されて高照度（Ｌｘ）で漏れ照明が行われる。
【００３８】
脚部１６４は、下部がモータ１７を取り付けるランプ取付基板７２に固定されており、文字板１１の中央部を支持する。さらに、脚部１６４は、光源１５の外側に配置して光源１５を囲設させることで、光源１５からの光をできるだけ洩らさずに文字板１１の光孔部１１Ａの上方に向けて導光させる機能を同時に有している。
【００３９】
モータ１７は、前述したようにランプ取付基板７２に固定されて指針１３を回動させる。このモータ１７の回転軸１７Ａは、指針１７の基部１３２に挿着されている。また、モータ１７は、図示しないセンサによって検出された速度に対応したセンサ信号に基づいて指針１７を所定角度だけ回動させ、文字板１１に形成された特定の数字を指示する。
【００４０】
従って、本実施形態によれば、均一な反射特性を有するリング部材１２を使用しても、速度を表示する数字の設けた特定の角度領域だけを、明るく漏れ照明できる。つまり、リング部材１２の内周面１２１での反射率を角度に応じて適宜異ならせて変化させるコストの嵩む加工を行わなくても、換言すれば、全周にわたり均一な反射率を有する廉価なリング部材であっても、上記のような漏れ照明の明るさを適宜変化させることができる。これにより、例えば速度表示の数字が記載されたエリアのみを明るく浮き上がらせて視認性、延いては安全性を高め、しかも照明の明るさに強弱メリハリを持たせて高級感を付与した照明構造などが低コストで実現できる。
【００４１】
（第２の実施形態）
次に、本発明の第２の実施形態について、図５を参照しながら詳細に説明する。なお、本実施形態において、第１の実施形態と同一部分には同一符号を付して重複説明を避ける。
本実施形態のメータ装置のスピードメータ４Ｂが第１の実施形態のスピードメータ４Ａと異なる点は、図５（Ａ）に示すように、文字板１１での漏れ照明を、速度表示の数字が大きくなるほど明るい高照度で照明させることで、高速度運転であることの注意喚起を視覚的に促すため、徐々に光量を増大させるグラデーション照明としていることである。
【００４２】
このため、本実施形態では、図５（Ｂ）に示すように、光量制御部材１６の起立壁部１６３の高さ（ｈ）を、所定の角度の範囲（数字０〜数字１８０）内で低減させた構成とする。一方、リング部材については、内周面の全周に亘って均一な反射膜を形成してあるものが使用される。
【００４３】
即ち、文字板１１の表面上に表示した数字０に対応するエリアでは、最少光量での漏れ照明を行うとともに、数字１８０に対応するエリアでは、最大光量での漏れ照明を行うようにするため、起立壁部１６３は、数字０に対応する角度（β１）での高さ（ｈ１）が最大で、数字１８０に対応する角度（β２）での高さ（ｈ２）が最少となる形状に形成される。
【００４４】
従って、本実施形態によれば、第１の実施形態と同様に、全周にわたり均一な反射率であるリング部材は廉価なものであるが、文字板１１表面の速度表示の数字が記載された角度の領域に対して、数字が大きくなるにつれて漏れ照明の明るさを徐々に高めるようになっている。これによって、高速度になるにつれてリング部材が徐々に明るく浮き上がるように漏れ照明されて運転者に視覚的に警告させるようになっており、視認性とともに安全性がさらに高められる。また、廉価なリング部材であっても、高級感のあるグラデーション照明が実現できる。
【００４５】
（第３の実施形態）
次に、本発明の第３の実施形態について、図６を参照しながら詳細に説明する。なお、本実施形態において、第１、第２の実施形態と同一部分には同一符号を付して重複説明を避ける。
本実施形態のメータ装置のスピードメータ４Ｃが第１、第２の実施形態のスピードメータ４Ａ、４Ｂと異なる点は、リング部材１２には角度に応じて光吸収特性（光透過率、光反射率、あるいは散乱率でもよい）を変化させたことで高級感を付与した照明構造であることと、前述の内周面１２１の透過率の変化を相殺させるように、光量制御部材１６の起立壁部１６３の高さ（ｈ）を変更させて均一照明構造に変更させてあることである。
【００４６】
即ち、本実施形態のリング部材１２において、図６（Ａ）に示すように光吸収性の高い高吸収部１２Ａ（例えば、黒色あるいは寒色系の着色部分など）に対応する角度方向にある起立壁部１６５Ａでの高さを、低く形成してある。一方、図６（Ｂ）に示すように、光吸収性の低い低吸収部１２Ｂ（例えば、白色系の着色部分など）に対応する角度方向にある起立壁部１６５Ｂでの高さを、起立壁部１６５Ａでの高さに比べ、吸収率に合わせた割合で高く形成してある。
【００４７】
従って、本実施形態によれば、例えば光吸収性に変化を持たせたリング部材１２を用いることで照明の明るさに強弱メリハリをもたせた高級感のある照明構造が標準装備された構成のものであっても、起立壁部１６３の高さ（ｈ）を変更させてある光量制御部材１６を追加して設置することで、簡単に均一な照明構造のものに変更可能となる。従って、例えば、部分的に明るさが異なる漏れ照明、均一な漏れ照明、グラデーション照明など、ユーザの好みに応じて照明機能を簡単に変更させることができ、幅広いオプションの照明構造が廉価で実現可能となる。
【００４８】
（第４の実施形態）
次に、本発明の第４の実施形態について、図７を参照しながら詳細に説明する。なお、本実施形態において、第１〜第３の実施形態と同一部分には同一符号を付して重複説明を避ける。
本実施形態のメータ装置であるタコメータ部３での照明構造が、他の実施形態の照明構造と異なるのは、モータ３５の回転軸３５Ａが、文字板３１の光孔部３１１に挿通されているのではなく、文字板３１に穿設させた専用の軸孔３１２に軸受３１３を介して取付けられている点と、光源が１個のもので構成されている点と、キャップ３４が他の実施形態の照明構造のキャップ１４に比べて大きくなっている点と、である。
【００４９】
本実施形態では、文字板３１の光孔部３１１に挿通させていた回転軸１７Ａを取り去る（別の場所へ移動させる）ことで、別言すれば、文字板３１の光孔部３１１から、光源を中心に設置するときの障害になっていた回転軸１７Ａを取り去ることで、文字板３１の光孔部３１１の直下のランプ取付基板７２に単一の光源３６を設置可能となる。これにより、他の実施形態の照明構造のような回転軸１７Ａの周囲に放射状に複数の光源を設置せずに済み、光源３６を１個のもので構成してコスト削減を図ることができる。
【００５０】
一般にモータの回転軸３５Ａは、つまり指針３２の回動中心は、表示板３１の中央に設定する都合上、本実施形態の表示板３１でも、モータ３５の回転軸３５Ａが挿通される軸孔３１２を表示板３１の中央に穿設してある。一方、文字板３１の光孔部３１１は回転軸１７Ａの設置位置からシフトさせることで、光孔部３１１から回転軸１７Ａを取り去るようにしてある。即ち、本実施形態の光孔部３１１は、図７（Ａ）に示すように、軸孔３１２よりも幾分上方にずらして形成されている。
【００５１】
キャップ４３は、図７（Ｂ）に示すように、指針３２の基部３２１に対して偏倚した状態で被着されている。このキャップ４３により、文字板３１の光孔部３１１及び光量制御部材１６の透孔部１６２を、上方から、所定の隙間を保持して常時覆うことができるようにするため、略逆Ｖ字形に形成している。これにより、数字の０〜１８０に対応する角度領域で指針３２が回動する間、キャップ４３の下面が、常に光孔部３１１及び透孔部１６２に近接した状態でこれらを上から覆うことができる。即ち、透孔部１６２を通過してきた光源３６からの光が直接直上方向に進行するのを回避できる。つまり、光源３６から出射する光から、漏れ光を常時形成できるわけである。
【００５２】
なお、光量制御部材１６の起立壁部１６３は、キャップ３４による透孔部１６２周辺での覆い量（面積）が角度の方向によって異なるので、このキャップ３４による覆い量の過多に対応した高さに形成されている。これにより、角度によらず均一な漏れ照明が可能となる。また、この漏れ光量を均一に設定するのではなく、他の実施形態の照明構造のような数字表示部分のみ漏れ照明の光量を高めたり、グラデーション照明を行わせる照明構造であってもよい。その場合には、キャップ３４による覆い量やリング部材の光透過率（光透過率、或いは反射率など）を勘案して、光量制御部材１６の起立壁部１６３の高さを形成すればよい。
【００５３】
従って、本実施形態によれば、光源３６が１個で済むので、その分のコストを削減することができる。
【符号の説明】
【００５４】
１  コンビネーションメータ
２  燃料計部
３  タコメータ部
４，  スピードメータ部
４Ａ、４Ｂ、４Ｃ  スピードメータ
５  水温計部
６  見返し板
６Ａ  表示窓
７  メータケース
８  カバーガラス
１０  メータ装置
１１、２１、３１、４１、５１  文字板
１１Ａ  光孔部
３１１  光孔部
３１２  軸孔
３１３  軸受
１２、２３、３３、４３、５３  リング部材
１２Ａ  高吸収部
１２Ｂ  低吸収部
１２１  内周面
１３、２２、３２、４２、５２  指針
１３１  本体部
１３２  基部
１４、３４  キャップ
１５、３６  光源
１６  光量制御部材
１６１  本体部
１６２  透孔部（内周孔）
１６３  起立壁部
１６３Ａ  数字非記載領域
１６３Ｂ  数字記載領域
１６４  脚部
１６５Ａ  起立壁部
１６５Ｂ  起立壁部
１７、３５  モータ
１７Ａ、３５Ａ  回転軸
７１  ベースプレート
７２  ランプ取付基板
ｄ  隙間
θ  角度
【図１】
2011007559.tif 000003
【図２】
2011007559.tif 000004
【図３】
2011007559.tif 000005
【図４】
2011007559.tif 000006
【図５】
2011007559.tif 000007
【図６】
2011007559.tif 000008
【図７】
2011007559.tif 000009
【図８】
2011007559.tif 000010
【図９】
2011007559.tif 000011
【図１０】
2011007559.tif 000012
【図１１】
2011007559.tif 000013